(57)【要約】      （修正有）【課題】容易に水を絞ることができるモップ構造を提供する。【解決手段】容易に水を絞ることができるモップ構造は拭き取り体、グリップ棒体、捻り回転スリーブ、連動ユニット、定位ユニット、操作スライドキャップを含む。該連動ユニットは該捻り回転スリーブ下方に設置し、該捻り回転スリーブ及び連動ユニットは回転可能で、及び軸方向移動を呈しグリップ棒体上に嵌設する。該グリップ棒体の一端部は該グリップ棒体の一端に固定し、反対端部は連動ユニットに固定する。該定位ユニットは捻り回転スリーブ上に設置し、該捻り回転スリーブの該グリップ棒体に対する回転と軸方向スライド移動を制御することができる。定位ユニットが該捻り回転スリーブの一方向回転動を制御する時、該グリップ棒体を捻り、及び捻り回転スリーブは相対回転を呈し、こうして該連動ユニットとグリップ棒体を駆動し相対回転動を呈させ、該拭き取り体の両端部は相対回転を呈し、水を絞る目的を達成する。【選択図】図１
0003144222.tif 000002
【実用新案登録請求の範囲】
【請求項１】
拭き取り体、グリップ棒体、捻り回転スリーブ、連動カバー、連動ユニット、定位ユニット、操作スライドキャップ及び伸縮スリーブを含み、
相反する両端部を備える拭き取り体と、
一端にグリップを設置し、反対端は該拭き取り体の一端部と固定するグリップ棒体と、
該グリップ棒体外縁に嵌設し、該グリップ棒体と相対回転を呈し、軸方向にスライド移動する捻り回転スリーブと、
該捻り回転スリーブ一端に設置し、該グリップ棒体と相対回転を呈し、軸方向にスライド移動し、該拭き取り体の反対端部と固定する連動カバーと、
該捻り回転スリーブ一端と該連動カバーの間に設置し、しかも該捻り回転スリーブに連動され、該グリップ棒体と相対回転を呈し、軸方向にスライド移動する連動ユニットと、
該捻り回転スリーブ上に設置し、該捻り回転スリーブを制御し、該グリップ棒体に相対し回転及び軸方向にスライド移動させる定位ユニットと、
該捻り回転スリーブ外縁に嵌設し、軸方向に移動し、該捻り回転スリーブを回転させる操作スライドキャップと、
該グリップ棒体底端と該連動カバー間の拭き取り体内に嵌設し、複数のスリーブにより組成し、それと該グリップ棒体及び捻り回転スリーブ三者は各自に独立し相互に不干渉な状態形成する一組の伸縮スリーブと、
該定位ユニットが該捻り回転スリーブを制御し一方向に回転させる時、該グリップ棒体と該捻り回転スリーブを捻り相対回転を呈し、こうして該連動ユニットと該グリップ棒体は相対回転を呈し、該拭き取り体の両端部は相対捻りを呈し、水を絞る目的を達成することを特徴とする容易に水を絞ることができるモップ構造。
【請求項２】
前記捻り回転スリーブ外には対応を呈しネジヤマ作用を備える複数のネジヤマ歯を設置し、該操作スライドキャップは内ネジヤマを備え、軸方向において移動し、該操作スライドキャップは該捻り回転スリーブを回転させることを特徴とする請求項１記載の容易に水を絞ることができるモップ構造。
【請求項３】
前記連動ユニットは歯車組を含み、しかも該歯車組は該グリップ棒体、該捻り回転スリーブ、及び該連動カバーを同時に連動することを特徴とする請求項１記載の容易に水を絞ることができるモップ構造。
【請求項４】
前記捻り回転スリーブの底端には、開口が下を向き、その環状壁内縁には環状歯車部を備える歯車カバーを備え、該連動カバーは該連動カバーと該捻り回転スリーブの間に設置し、該連動カバー内の頂端に近い位置には壁板を形成し、該壁板上には連動ユニットを可動設置する歯車組のピボットを設置し、該捻り回転スリーブの底端歯車カバーを該連動カバー頂端に嵌設し進入させた後、ネジヤマを備える固定リングにより上から下へと、歯車カバー度とに嵌設し、並びに連動カバー頂端周縁のネジヤマ位置に固定し、該捻り回転スリーブと該連動カバーを組合せ結合し、両者は相対の回転を呈し、上記設計により、歯車カバー内縁の環状歯車部と連動ユニットの歯車組はプラネット歯車機構を構成し、捻り回転時省力の目的を達成することを特徴とする請求項１記載の容易に水を絞ることができるモップ構造。
【請求項５】
グリップ棒、成形歯紋棒及び組合せ接続嵌合部品を含み、前記グリップ棒体は、
頂端にグリップを嵌設するグリップ棒と、
外縁に軸方向に歯紋を形成する成形歯紋棒と、
一端に複数の挟片が構成する嵌接孔を備える組合せ接続嵌合部品と、
を含み、
該グリップ棒一端は該嵌接孔内に挿入組合せ後、環状かつ内錐状内孔を呈する固定接続スリーブにより組合せ接続嵌合部品一端の複数の挟片下方周縁のネジヤマ部に組合せ、複数の挟片の挟持により、グリップ棒を挟持定位し、該組合せ接続嵌合部品の反対端には嵌接管部を遠心し、該嵌接管部外縁には軸方向の一方向阻逆歯を設置し、該一方向阻逆歯上端には頚部を形成し、該位置には孔を設置し、該成形歯紋棒一端は該嵌接管部内孔に挿入組合せ進入後、定位ピンにより該一方向阻逆歯頚部及び該成形歯紋棒一端の孔を貫通し、こうして該グリップ棒と該成形歯紋棒は組み合わさりグリップ棒体を形成することを特徴とする請求項１記載の容易に水を絞ることができるモップ構造。
【請求項６】
前記成形歯紋棒はまた前記連動ユニットの歯車組中央を貫通し、該歯車組と噛み合い状態を形成し、該グリップ棒体を回す時、該成形歯紋棒は歯車組と歯車カバーを駆動し、こうして省力の目的を達成することを特徴とする請求項３或いは５記載の容易に水を絞ることができるモップ構造。
【請求項７】
前記定位ユニットは該捻り回転スリーブ頂端孔内に設置し、定位ユニットはグリップ棒体に対して定位を生じ、逆回転を防止するＣ型クリップ、及び環状を呈する阻逆部品を含み、該阻逆部品内孔は組合せ接続嵌合部品の嵌接管部外縁の一方向阻逆歯と噛み合う弾性阻逆部を備え、
捻り回転スリーブ、連度ユニット、連動カバーが軸方向の移動を呈し、グリップ棒体上嵌接管部の一方向阻逆歯までスライド移動すると、一方向阻逆歯は捻り回転スリーブ内に進入し、Ｃ型クリップ及び阻逆部品を貫通する時、捻り回転スリーブとグリップ棒体間は相対一方向回転だけを呈し、同時に、Ｃ型クリップにより嵌接管部の一方向阻逆歯上端頚部を挟持し、これにより嵌接管部の一方向阻逆歯は該捻り回転スリーブ挿入の操作位置において保持されることを特徴とする請求項１或いは５記載の容易に水を絞ることができるモップ構造。
【請求項８】
前記拭き取り体は多数の綿糸により構成し、各一束の綿糸内には弾性引伸特性を備えないワイヤーを加え、拭き取り体が捻られ引伸ばされる時も、該ワイヤーにより拭き取り体の各一束の綿糸は引伸ばされ細くなることはなく、こうして吸水効率に影響を及ぼすことはないことを特徴とする請求項１記載の容易に水を絞ることができるモップ構造。
【請求項９】
前記組伸縮スリーブはグリップ棒体底端と連動カバー間の拭き取り体内に嵌設し、それはグリップ棒体、捻り回転スリーブ、連動カバー三者と各自独立し相互に不干渉の状態を形成することを特徴とする請求項１記載の容易に水を絞ることができるモップ構造。
【請求項１０】
前記連動カバー内面には環状の係合ストップ部を備え、これにより該組伸縮スリーブ中最上方のスリーブ周縁において係合ストップし、それは連動カバー内に定位し、グリップ棒体が上方へと引き上げられる時、該組伸縮スリーブは連動カバー内に収縮し進入することを特徴とする請求項１記載の容易に水を絞ることができるモップ構造。
【請求項１１】
前記組合せ接続嵌合部品の嵌接孔内は、延伸管壁を上方へと延伸し、該各挟片との間に環状槽を形成し、グリップ棒の挿入接続端を該環状槽内に挿入し、強度を高めることを特徴とする請求項５記載の容易に水を絞ることができるモップ構造。
【請求項１２】
前記組合せ接続嵌合部品の反対端が延伸する嵌接管部外縁には軸方向を呈する一方向阻逆歯を設置し、該一方向阻逆歯の両端には共に斜角を形成し、定位ユニットのＣ型クリップへの挿入と離脱に利することを特徴とする請求項５記載の容易に水を絞ることができるモップ構造。
【考案の詳細な説明】
【技術分野】
【０００１】
本考案は容易に水を絞ることができるモップ構造に関する。特に操作が便利で、水分を絞るのに省力が可能で、拭き取り体が自動的に展開し使用状態を呈する容易に水を絞ることができるモップ構造に係る。
【背景技術】
【０００２】
本考案は特許文献１の改良設計である。その目的は該特許文献１の構成部品を簡略化し、同時にモップ使用時に利便性を向上させ、コストを低下させること等である。
【０００３】
【特許文献１】米国特許第１１／４７３，０６６号明細書
【考案の開示】
【考案が解決しようとする課題】
【０００４】
本考案の目的は、水を絞る力を節約し、かつ使用者の操作に便利なモップの回転絞り機構である容易に水を絞ることができるモップ構造を提供することである。
【０００５】
上記課題を解決するため、本考案は下記の容易に水を絞ることができるモップ構造を提供する。容易に水を絞ることができるモップ構造は拭き取り体、グリップ棒体、捻り回転スリーブ、連動ユニット、定位ユニット、操作スライドキャップを含み、
該拭き取り体は相反する両端部を備え、
該グリップ棒体は一端にグリップを設置し、反対端は該拭き取り体の一端部と固定し、
該捻り回転スリーブは該グリップ棒体外縁に嵌設し、該グリップ棒体と相対回転を呈し、軸方向にスライド移動し、
該連動ユニットは該捻り回転スリーブ一端と該連動カバーの間に可動設置し、該拭き取り体の反対端部と固定し、しかも該連動ユニットは該捻り回転スリーブに連動され、該グリップ棒体と相対回転を呈し、
該定位ユニットは捻り回転スリーブ上に設置し、該捻り回転スリーブを制御し、該グリップ棒体に相対し回転及び軸方向にスライド移動させ、
該定位ユニットが該捻り回転スリーブを制御し一方向に回転させる時、該グリップ棒体と該捻り回転スリーブを捻り相対回転を呈し、こうして該連動ユニットと該グリップ棒体は相対回転を呈し、該拭き取り体の両端部は相対捻りを呈し、水を絞る目的を達成し、
該組伸縮スリーブはグリップ棒体底端と連動ユニット間の拭き取り体内に嵌設し、該組伸縮スリーブは複数のスリーブにより組成し、それとグリップ棒体、捻り回転スリーブの三者は各自独立し相互に不干渉の状態を形成し、連動ユニットとグリップ棒体が相対回転動を呈し、該拭き取り体両端部が相対回転変形を呈し、伸縮スリーブ外において束縛されると、グリップ棒体を束縛する状況は発生せず、これにより拭き取り体下方の捻り変形が発生していない部分は、連動ユニットが発生する捻り回転を継続し受け取り、該拭き取り体全体が上から下へとすべて捻り変形し、水分が絞られるまで、捻り変形を継続して生じ、該拭き取り体はおよそ綿糸、綿布、不織布等類似の掃除用拭き取り物により組成され、
本考案実施例中の拭き取り体は、多数の綿糸により構成され、
該各一束の綿糸内には、弾性引伸特性を備えないワイヤーを加え、これにより、該拭き取り体が捻られ引伸ばされる時、該ワイヤーにより該拭き取り体の各一束の綿糸は引伸ばされ細くなることはなく、吸水効率に影響を及ぼすことはない。
【課題を解決するための手段】
【０００６】
請求項１の考案は、拭き取り体、グリップ棒体、捻り回転スリーブ、連動カバー、連動ユニット、定位ユニット、操作スライドキャップ及び伸縮スリーブを含み、
相反する両端部を備える拭き取り体と、
一端にグリップを設置し、反対端は該拭き取り体の一端部と固定するグリップ棒体と、
該グリップ棒体外縁に嵌設し、該グリップ棒体と相対回転を呈し、軸方向にスライド移動する捻り回転スリーブと、
該捻り回転スリーブ一端に設置し、該グリップ棒体と相対回転を呈し、軸方向にスライド移動し、該拭き取り体の反対端部と固定する連動カバーと、
該捻り回転スリーブ一端と該連動カバーの間に設置し、しかも該捻り回転スリーブに連動され、該グリップ棒体と相対回転を呈し、軸方向にスライド移動する連動ユニットと、
該捻り回転スリーブ上に設置し、該捻り回転スリーブを制御し、該グリップ棒体に相対し回転及び軸方向にスライド移動させる定位ユニットと、
該捻り回転スリーブ外縁に嵌設し、軸方向に移動し、該捻り回転スリーブを回転させる操作スライドキャップと、
該グリップ棒体底端と該連動カバー間の拭き取り体内に嵌設し、複数のスリーブにより組成し、それと該グリップ棒体及び捻り回転スリーブ三者は各自に独立し相互に不干渉な状態形成する一組の伸縮スリーブと、
該定位ユニットが該捻り回転スリーブを制御し一方向に回転させる時、該グリップ棒体と該捻り回転スリーブを捻り相対回転を呈し、こうして該連動ユニットと該グリップ棒体は相対回転を呈し、該拭き取り体の両端部は相対捻りを呈し、水を絞る目的を達成することを特徴とする容易に水を絞ることができるモップ構造としている。
請求項２の考案は、前記捻り回転スリーブ外には対応を呈しネジヤマ作用を備える複数のネジヤマ歯を設置し、該操作スライドキャップは内ネジヤマを備え、軸方向において移動し、該操作スライドキャップは該捻り回転スリーブを回転させることを特徴とする請求項１記載の容易に水を絞ることができるモップ構造としている。
請求項３の考案は、前記連動ユニットは歯車組を含み、しかも該歯車組は該グリップ棒体、該捻り回転スリーブ、及び該連動カバーを同時に連動することを特徴とする請求項１記載の容易に水を絞ることができるモップ構造としている。
請求項４の考案は、前記捻り回転スリーブの底端には、開口が下を向き、その環状壁内縁には環状歯車部を備える歯車カバーを備え、該連動カバーは該連動カバーと該捻り回転スリーブの間に設置し、該連動カバー内の頂端に近い位置には壁板を形成し、該壁板上には連動ユニットを可動設置する歯車組のピボットを設置し、該捻り回転スリーブの底端歯車カバーを該連動カバー頂端に嵌設し進入させた後、ネジヤマを備える固定リングにより上から下へと、歯車カバー度とに嵌設し、並びに連動カバー頂端周縁のネジヤマ位置に固定し、該捻り回転スリーブと該連動カバーを組合せ結合し、両者は相対の回転を呈し、上記設計により、歯車カバー内縁の環状歯車部と連動ユニットの歯車組はプラネット歯車機構を構成し、捻り回転時省力の目的を達成することを特徴とする請求項１記載の容易に水を絞ることができるモップ構造としている。
請求項５の考案は、グリップ棒、成形歯紋棒及び組合せ接続嵌合部品を含み、前記グリップ棒体は、
頂端にグリップを嵌設するグリップ棒と、
外縁に軸方向に歯紋を形成する成形歯紋棒と、
一端に複数の挟片が構成する嵌接孔を備える組合せ接続嵌合部品と、
を含み、
該グリップ棒一端は該嵌接孔内に挿入組合せ後、環状かつ内錐状内孔を呈する固定接続スリーブにより組合せ接続嵌合部品一端の複数の挟片下方周縁のネジヤマ部に組合せ、複数の挟片の挟持により、グリップ棒を挟持定位し、該組合せ接続嵌合部品の反対端には嵌接管部を遠心し、該嵌接管部外縁には軸方向の一方向阻逆歯を設置し、該一方向阻逆歯上端には頚部を形成し、該位置には孔を設置し、該成形歯紋棒一端は該嵌接管部内孔に挿入組合せ進入後、定位ピンにより該一方向阻逆歯頚部及び該成形歯紋棒一端の孔を貫通し、こうして該グリップ棒と該成形歯紋棒は組み合わさりグリップ棒体を形成することを特徴とする請求項１記載の容易に水を絞ることができるモップ構造としている。
請求項６の考案は、前記成形歯紋棒はまた前記連動ユニットの歯車組中央を貫通し、該歯車組と噛み合い状態を形成し、該グリップ棒体を回す時、該成形歯紋棒は歯車組と歯車カバーを駆動し、こうして省力の目的を達成することを特徴とする請求項３或いは５記載の容易に水を絞ることができるモップ構造としている。
請求項７の考案は、前記定位ユニットは該捻り回転スリーブ頂端孔内に設置し、定位ユニットはグリップ棒体に対して定位を生じ、逆回転を防止するＣ型クリップ、及び環状を呈する阻逆部品を含み、該阻逆部品内孔は組合せ接続嵌合部品の嵌接管部外縁の一方向阻逆歯と噛み合う弾性阻逆部を備え、
捻り回転スリーブ、連度ユニット、連動カバーが軸方向の移動を呈し、グリップ棒体上嵌接管部の一方向阻逆歯までスライド移動すると、一方向阻逆歯は捻り回転スリーブ内に進入し、Ｃ型クリップ及び阻逆部品を貫通する時、捻り回転スリーブとグリップ棒体間は相対一方向回転だけを呈し、同時に、Ｃ型クリップにより嵌接管部の一方向阻逆歯上端頚部を挟持し、これにより嵌接管部の一方向阻逆歯は該捻り回転スリーブ挿入の操作位置において保持されることを特徴とする請求項１或いは５記載の容易に水を絞ることができるモップ構造としている。
請求項８の考案は、前記拭き取り体は多数の綿糸により構成し、各一束の綿糸内には弾性引伸特性を備えないワイヤーを加え、拭き取り体が捻られ引伸ばされる時も、該ワイヤーにより拭き取り体の各一束の綿糸は引伸ばされ細くなることはなく、こうして吸水効率に影響を及ぼすことはないことを特徴とする請求項１記載の容易に水を絞ることができるモップ構造としている。
請求項９の考案は、前記組伸縮スリーブはグリップ棒体底端と連動カバー間の拭き取り体内に嵌設し、それはグリップ棒体、捻り回転スリーブ、連動カバー三者と各自独立し相互に不干渉の状態を形成することを特徴とする請求項１記載の容易に水を絞ることができるモップ構造としている。
請求項１０の考案は、前記連動カバー内面には環状の係合ストップ部を備え、これにより該組伸縮スリーブ中最上方のスリーブ周縁において係合ストップし、それは連動カバー内に定位し、グリップ棒体が上方へと引き上げられる時、該組伸縮スリーブは連動カバー内に収縮し進入することを特徴とする請求項１記載の容易に水を絞ることができるモップ構造としている。
請求項１１の考案は、前記組合せ接続嵌合部品の嵌接孔内は、延伸管壁を上方へと延伸し、該各挟片との間に環状槽を形成し、グリップ棒の挿入接続端を該環状槽内に挿入し、強度を高めることを特徴とする請求項５記載の容易に水を絞ることができるモップ構造としている。
請求項１２の考案は、前記組合せ接続嵌合部品の反対端が延伸する嵌接管部外縁には軸方向を呈する一方向阻逆歯を設置し、該一方向阻逆歯の両端には共に斜角を形成し、定位ユニットのＣ型クリップへの挿入と離脱に利することを特徴とする請求項５記載の容易に水を絞ることができるモップ構造としている。
【考案の効果】
【０００７】
上記のように、本考案は操作が便利で、水分を絞るのに省力が可能で、拭き取り体が自動的に展開し使用状態を呈することができる。
【考案を実施するための最良の形態】
【０００８】
図１、図２、図３に示すように、本考案モップの最適実施例は、拭き取り体５、グリップ棒体１、捻り回転スリーブ２、連動ユニット３、定位ユニット２４、操作スライドキャップ２３、一組の伸縮スリーブ６を含む。該連動ユニット３は該捻り回転スリーブ２下方に設置し、該捻り回転スリーブ２外には対応を呈しネジヤマ作用を備える複数のネジヤマ歯２１を設置し、該位置には内ネジヤマ２３１を備える操作スライドキャップ２３を嵌設する。該捻り回転スリーブ２の底部には開口を備え、下方に向いその環状壁２２１内縁には環状歯車部２２３を備える歯車カバー２２を設置する。該連動ユニット３は該連動ユニット３と該捻り回転スリーブ２の間に設置し、該連動カバー４内の頂端に近い位置には壁板４２を形成する。該壁板４２上には、該連動ユニット３プラネット歯車組３１ピボット４２１を可動設置する。並びに、該捻り回転スリーブ２の底端歯車カバー２２が該連動カバー４の頂端に嵌接し進入後、該歯車カバー２２内縁の環状歯車部２２３とプラネット歯車組３１はプラネットギア機構を構成する。並びに、ネジヤマを備える固定リング４４により、該歯車カバー２２外に上から下へと嵌設し、該連動カバー４頂端周縁のネジヤマ４３位置に固設し、該捻り回転スリーブ２と該連動カバー４は組合せ結合され、相対回転動を呈することができる。
【０００９】
図６に示すように、該捻り回転スリーブ２、該連動ユニット、該連動カバー４は回転可能で、及び該グリップ棒体１上において回転移動を呈し嵌設することができる。該グリップ棒体１は上段に位置するグリップ棒１１と、下段に位置し、しかもその外縁には軸方向に歯紋１４１を形成する成形歯紋棒１４を備える。該グリップ棒１１と該成形歯紋棒１４間は、組合せ接続嵌合部品１３により一体に組み合わせる。該組合せ接続嵌合部品１３一端は、複数の挟片１３１が構成する嵌接孔１３１１を備える。該グリップ棒１１の挿入接続端１１２一端は該嵌接孔１３１１内に挿入接続後、管状を停止、しかも内錐状内孔を備え、並びにネジヤマ部１３７１を備える固定接続スリーブ１３７により、該組合せ接続嵌合部品１３一端の複数の挟片１３１下方周縁のネジヤマ部１３２において組み合わされる。複数の挟片１３１の挟持により、該グリップ棒１１を固定する。該組合せ接続嵌合部品１３の反対端は嵌接管部１３３を延伸し、該嵌接管部１３３外縁は軸方向に設置する一方向阻逆歯１３３１を呈する。該一方向阻逆歯１３３１上端には頚部１３８を形成し、該位置には孔１３５を設置する。該成形歯紋棒１４一端は該嵌接管部１３３内孔１３４に挿入進入後、定位ピン１３６により該一方向阻逆歯１３３１頚部１３８及び該成形歯紋棒１４一端の孔１３５、１４２を貫通し、こうして該グリップ棒１１と該成形歯紋棒１４は接続しグリップ棒体１を形成し、該捻り回転スリーブ２、該連動ユニット３、該連動カバー４は、回転し、軸方向移動を呈し該グリップ棒体１上の成形歯紋棒１４外に嵌設することができる。該成形歯紋棒１４はまた前記連動ユニット３のプラネット歯車組３１中央を貫通し、該プラネット歯車組３１と噛み合い状態を形成する。これにより該グリップ棒体１の回転時には、該成形歯紋棒１４は該プラネット歯車組３１及び該歯車カバー２２を駆動し、こうして省力の目的を達成する。別に、該嵌接孔１３１１内では、延伸管壁１３９を上方へと延伸し、該挟片１３１との間に環状槽１３９１を形成するこれにより、該グリップ棒１１の挿入接続端１１２は該環状槽１３９１内に挿入され、強度を向上させることができる。しかも該一方向阻逆歯１３３１の両端において、共に斜角１３３２を形成し、該定位ユニット２４のＣ型クリップ２４３の挿入と離脱に利する。
【００１０】
図７〜図１０に示すように、該定位ユニット２４は該捻り回転スリーブ２頂端孔２２４内に設置し、該端孔２２４端部には端蓋２５を設置する。該定位ユニット２４は該グリップ棒体１に対して定位を生じ、逆回転を防止するＣ型クリップ２４３、及び環状を呈する阻逆部品２４１を含む。該阻逆部品２４１内孔は該組合せ接続嵌合部品１３嵌接管部１３３外縁一方向阻逆歯１３３１と噛み合う弾性阻逆部２４２を備える。該捻り回転スリーブ２、該連動ユニット３、該連動カバー４が軸方向にスライド移動し、該グリップ棒１上の嵌接管部１３３の一方向阻逆歯１３３１を該捻り回転スリーブ２内に進入させ、該Ｃ型クリップ２４３と該阻逆部品２４１を貫通する時、該捻り回転スリーブ２と該グリップ棒体１間は相対し一方向回転だけを呈することができる。同時に、該Ｃ型クリップ２４３により、該嵌接管部１３３の一方向阻逆歯１３３１上端頚部１３８を挟み、こうして該嵌接管部１３３の一方向阻逆歯１３３１は該捻り回転スリーブ２に挿入する操作位置を保持される。
【００１１】
図１、図１１、図１２に示すように、該拭き取り体５はおよそ綿糸、綿布、不織布等類似の掃除用拭き取り物により組成される。本考案実施例中の拭き取り体５は、多数の綿糸５３により構成される。該拭き取り体５は固定連結されている上端部５１と下端部５２を備える。該拭き取り体５の上端部５１は該連動カバー４底端外縁に固定連結され、該下端部５２は該グリップ棒体１下段の成形歯紋棒１４底端に固定連結される。該下端部５２は該成形歯紋棒１４底端に組み合わされる挟固部品７と成形歯紋棒１４底端により連結挟固される。該挟固部品７上方には該成形歯紋棒１４底端を挿入する挿入組合せ槽７１を備える。該成形歯紋棒１４底端は該挿入組合せ槽７１に挿入組合せ後、定位ピン７３により該挿入組合せ槽７１及び該成形歯紋棒１４底端の孔７２、１４３を貫通し、こうして該挿入組合せ槽７１は該成形歯紋棒１４底端に結合される。別に、該挿入組合せ槽７１は挟槽７４を備え、該拭き取り体５下端部５２は該挟槽７４内に挟固される。
【００１２】
該拭き取り体５の各一束の綿糸５３内には、弾性引伸特性を備えないワイヤー５３１を加える。これにより、該拭き取り体５が捻られ引伸ばされる時、該ワイヤー５３１により該拭き取り体５の各一束の綿糸５３は引伸ばされ細くなることはなく、吸水効率に影響を及ぼすことはない（図１５、図１６参照）。
【００１３】
図１１、図１２、図１３に示すように、該組伸縮スリーブ６は該グリップ棒体１底端と該連動カバー４間のふき取り体５内に嵌設される。該組伸縮スリーブ６はおよそ該グリップ棒体１下段にの該成形歯紋棒１４の下段位置に嵌設され、該組伸縮スリーブ６は複数のスリーブにより組成され、それと該グリップ棒体１及び該捻り回転スリーブ２の三者は各自が独立し相互に干渉しない状態を形成する。該捻り回転スリーブ２、該連動カバー４、該グリップ棒体１が相対回転を呈すると、該拭き取り体５の上、下端部５１、５２は相対捻り変形を呈し、該伸縮スリーブ６外において束縛される。この時、該グリップ棒体１下方の成形歯紋棒１４下段において束縛を生じない状況により、該拭き取り体５下方の未だ捻り変形を生じない部分は、該捻り回転スリーブ２と該連動カバー４が生じる捻りを継続し受け取り、該拭き取り体５全体が上から下へとすべて捻り変形し、水分が絞られるまで、捻り変形を継続して生じる。この他、該連動カバー４内面には環状の係合ストップ部４３１を備え、該組伸縮スリーブ６中最上方のスリーブ６１周縁６２において係合ストップし、これにより該連動カバー４内において定位され、該グリップ棒体１が上方へと引き上げられる時には、該組伸縮スリーブ６は該連動カバー４外殻４１内に伸縮進入する。
【００１４】
本考案モップの使用状態図である図４、図１４に示すように、使用時には、該グリップ棒体１を下方へと推移させ、該グリップ棒体１嵌接管部１３３の一方向阻逆歯１３３１は該捻り回転スリーブ２内に進入し、該Ｃ型クリップ２４３と該阻逆部品２４１を貫通する。同時に、該Ｃ型クリップ２４３は該嵌接管部１３３の一方向阻逆歯１３３１上端頚部１３８に嵌設し、これにより該嵌接管部１３３の一方向阻逆歯１３３１は該捻り回転スリーブ２に挿入する操作位置を保持する。
【００１５】
この時、該捻り回転スリーブ２の握持部２２２を手で握り、もう一方の手で該グリップ棒体１を握り、相対捻りを行う。この時、該捻り回転スリーブ２と該グリップ棒体１間は、一方向阻逆歯１３３１と阻逆部品２４１が構成する阻逆作用により、相対し一方向の回転動のみを呈する。こうして該拭き取り体５を捻ることで、抵抗回転の反対方向回復力が生じることを防止する。この時、回転する成形歯紋棒１４は該連動ユニット３のプラネット歯車組３１と歯車カバー２２を駆動する他に、捻り回転時には省力の目的を達成し、また該連動カバー４及び該グリップ棒体１下方の成形歯紋棒１４は該拭き取り体５の上、下端部５１、５２を反対方向に捻り回転させ、該拭き取り体５の水を絞る。該拭き取り体５を捻る時には、該拭き取り体５の各綿糸５３は捻られ、捻りに抵抗する反対方向の回復引力を生じ、こうして該グリップ棒体１底端を上方へと引く。この時、該嵌接管部１３３一方向阻逆歯１３３１の頚部１３７は、上方へと向う推力により、Ｃ型クリップ２４３を離脱し、こうして該嵌接管部１３３一方向阻逆歯１３３１全体は該捻り回転スリーブ２を完全に離脱し、該阻逆部品２４１の制限を受けず、該グリップ棒体１と該捻り回転スリーブ２及び該連動カバー４間の各自独立した回転状態を回復する。この時、該内ネジヤマ２３１を備える操作スライドキャップ２３を握り、モップ全体が重量を受け、該捻り回転スリーブ２が操作スライドキャップ２３軸心に沿って、回転の自然落下を呈し、該回転が生じる遠心作用により、該拭き取り体５の各綿糸５３は回転し開いた状態となり、使用状態に達する。
【図面の簡単な説明】
【００１６】
【図１】本考案の立体分解図である。
【図２】本考案の組合せ断面図である。
【図３】本考案の立体外観図である。
【図４】水を絞る時の本考案の実施例立体外観図である。
【図５】本考案の成形歯紋棒が駆動する連動ユニットのプラネット歯車組部の実施例局部断面指示図である。
【図６】本考案グリップ棒と成形歯紋棒間を組合せ接続嵌合部品により一体に組合せ接続する局部断面図である。
【図７】本考案定位ユニットと組合せ接続嵌合部品嵌接管部外縁の一方向阻逆歯間に定位阻逆関係を形成する実施例局部断面図である。
【図８】本考案定位ユニット中の阻逆部品とグリップ棒体上の一方向阻逆歯が構成する阻逆作用の局部断面図である。
【図９】本考案がグリップ棒体を、下方へ捻り回転スリーブ内に挿入する時ときの実施例局部立体図及び本考案がグリップ棒体を、下方へ捻り回転スリーブ内に挿入する時、一方向阻逆歯下縁斜辺により、捻り回転スリーブ内に設置するＣ型クリップを開く時の実施例局部立体図である。
【図１０】本考案がグリップ棒体を、上へと引き上げる時に、一方向阻逆歯が捻り回転スリーブ内を離脱する実施例局部立体図及び本考案がグリップ棒体を、上へと引き上げる時に、一方向阻逆歯が捻り回転スリーブ内に設置するＣ型クリップを離脱する時の実施例局部立体図である。
【図１１】本考案がグリップ棒体を、上へと引き上げる時に、該組伸縮スリーブが伸縮し連動カバー内へと進入する実施例局部断面図である。
【図１２】本考案がグリップ棒体を下へと押す時、拭き取り体と該組伸縮スリーブが伸長する状態の実施例局部断面図である。
【図１３】本考案が連動カバー内面において設置する環状係合ストップ部が、該組伸縮スリーブ中最上方のスリーブ周縁において係合ステップする実施例局部断面図である。
【図１４】本考案の内ネジヤマを備える操作スライドキャップを手で握り、モップ全体が重量を受け、捻り回転スリーブが操作スライドキャップ軸心に沿って、回転の自然落下が発生する遠心作用を呈し、拭き取り体の各綿糸が回転し、開いた状態の実施図である。
【図１５】で本考案の拭き取り体の水を絞る時に、各一束の綿糸が捻られる状態を示す実施図ある。
【図１６】本考案の拭き取り体の各一束の綿糸内に一本の弾性引伸特性を備えないワイヤーを加える実施例断面である。
【符号の説明】
【００１７】
１  棒体
１１  グリップ棒
１１１  グリップ
１１２  挿入接続端
１１３  ストッパー片
１３  組合せ接続嵌合部品
１３１  挟片
１３１１  嵌接孔
１３７  固定接続スリーブ
１３２、１３７１  ネジヤマ部
１３３１  一方向阻逆歯
１３３２  斜角
１３３  嵌接管部
１３４  内孔
１３５、１４２、１４３  孔
１３６  定位ピン
１３８  頚部
１３９  延伸管壁
１３９１  環状槽
１４  成形歯紋棒
１４１  歯紋
２  捻り回転スリーブ
２１  ネジヤマ歯
２２  歯車カバー
２２１  環状壁
２２２  握持部
２２３  環状歯車部
２２４  頂端孔
２３  操作スライドキャップ
２３１  内ネジヤマ
２４  定位ユニット
２４１  阻逆部品
２４２  弾性阻逆部
２４３  Ｃ型クリップ
２５  端蓋
３  連動ユニット
３１  プラネット歯車組
４  連動カバー
４１  外殻
４２  壁板
４２１  ピボット
４３  ネジヤマ
４３１  係合ストップ部
４４  固定リング
５  拭き取り体
５１  上端部
５２  下端部
５３  綿糸
５３１  ワイヤー
６  伸縮スリーブ
６１  スリーブ
６２  周縁
７  挟固部品
７１  挿入組合せ槽
７２  孔
７３  定位ピン
７４  挟槽
【図１】
0003144222.tif 000003
【図２】
0003144222.tif 000004
【図３】
0003144222.tif 000005
【図４】
0003144222.tif 000006
【図５】
0003144222.tif 000007
【図６】
0003144222.tif 000008
【図７】
0003144222.tif 000009
【図８】
0003144222.tif 000010
【図９】
0003144222.tif 000011
【図１０】
0003144222.tif 000012
【図１１】
0003144222.tif 000013
【図１２】
0003144222.tif 000014
【図１３】
0003144222.tif 000015
【図１４】
0003144222.tif 000016
【図１５】
0003144222.tif 000017
【図１６】
0003144222.tif 000018